(57)【要約】【課題】安定して気泡混合洗浄水を誘導して側方開口溝部の溝奥側に向けた強い指向性を持って噴出できるようにすること。【解決手段】ボウル１の上端開口縁部に設けたリム部２の下面部にボウル１内に向けて内側方に開口する側方開口溝部３を略周方向にわたって形成し、ボウル１の後端部に気泡混合洗浄水を噴出する洗浄水噴出部４を設け、該洗浄水噴出部４から噴出した気泡混合洗浄水が側方開口溝部３に沿って流れつつ側方開口溝部３の側方開口７からボウル１内に流れてボウル１内を洗浄する水洗便器５であって、洗浄水噴出部４から側方開口溝部３までの間に気泡混合洗浄水を側方開口溝部３の溝奥に沿わせるための誘導手段４０を構成する誘導水路４１を設け、この誘導水路４１内に洗浄水噴出部４から噴出した気泡混合洗浄水を衝突させるための衝突部４６を設ける。【選択図】図１
2010138693.tif 000002
【特許請求の範囲】
【請求項１】
ボウルの上端開口縁部に設けたリム部の下面部にボウル内に向けて内側方に開口する側方開口溝部を略周方向にわたって形成し、ボウルの後端部に気泡混合洗浄水を噴出する洗浄水噴出部を設け、該洗浄水噴出部から噴出した気泡混合洗浄水が側方開口溝部に沿って流れつつ側方開口溝部の側方開口からボウル内に流れてボウル内を洗浄する水洗便器であって、前記洗浄水噴出部から前記側方開口溝部までの間に気泡混合洗浄水を前記側方開口溝部の溝奥に沿わせるための誘導手段を構成する誘導水路を設け、この誘導水路内に前記洗浄水噴出部から噴出した気泡混合洗浄水を衝突させるための衝突部を設けて成ることを特徴とする水洗便器。
【請求項２】
ボウルの上端開口縁部に設けたリム部の下面部にボウル内に向けて内側方に開口する側方開口溝部を略周方向にわたって形成し、ボウルの後端部に気泡混合洗浄水を噴出する洗浄水噴出部を設け、該洗浄水噴出部から噴出した気泡混合洗浄水が側方開口溝部に沿って流れつつ側方開口溝部の側方開口からボウル内に流れてボウル内を洗浄する水洗便器であって、前記洗浄水噴出部から前記側方開口溝部までの間に気泡混合洗浄水を前記側方開口溝部の溝奥に沿わせるための誘導手段を構成する誘導水路を設け、前記側方開口溝部の始端部の側方開口の下縁部に前端側程高さが低くなった補助誘導壁を立設し、前記側方開口溝部の溝奥と対向する面である補助誘導壁の内面の後端部を前記誘導水路の出口の一側内面に連設させると共に、補助誘導壁の外面をボウルに略周方向に設けた側方開口部の終端部に連設させて成ることを特徴とする水洗便器。
【請求項３】
前記補助誘導壁と対向する前記側方開口溝部の溝奥部分を平面視で前方程外側方にずれるように傾斜した傾斜溝奥部として成ることを特徴とする請求項２記載の水洗便器。
【発明の詳細な説明】
【技術分野】
【０００１】
本発明は、便器における洗浄水をボウル内に流すための技術に関するものである。
【背景技術】
【０００２】
従来から気泡混合洗浄水によりボウルを洗浄することで、気泡混入水中の気泡の衝突、気泡が破泡する際の高周波振動による衝撃力等によって洗浄効果を上げ、少ない水量で洗浄力を上げることができるようにすることが、特許文献１や特許文献２により提案されている。
【０００３】
一般的に供給管路を経て洗浄水噴出部から洗浄水が大気圧環境下に噴出されると、洗浄水噴出部を噴出した直後、広がりながら噴出するものであり、特に、水に比べて気泡混合洗浄水の場合、気泡が入っているため水だけに比べて洗浄水噴出部から大気圧環境下に噴出した直後の広がりが大きく、このため、従来から公知の洗浄水を水として使用する水洗便器において、単に洗浄水として水に代えて気泡混合洗浄水を使用した場合、洗浄水噴出部からリム部の下面側に形成した側方開口溝部の後端部に噴出した際、水に比べて洗浄水噴出部から大気圧環境下に噴出した直後の広がりが大きく、気泡混合洗浄水が噴出直後に横に広がって側方開口溝部の側方開口の後端部から必要以上に流れ落ち、リム部の下面側に周方向に設けた側方開口溝部に沿って気泡混合洗浄水を流して、側方開口溝部の周方向の各部分で側方開口から満遍なくボウル内面側に気泡混合洗浄水の旋回流を流下させることができず、ボウル内面を気泡混合洗浄水による旋回流で均一に洗浄することができないという問題があった。
【０００４】
つまり、気泡混合洗浄水でボウルを洗浄する方式においては、従来の水で洗浄する水洗便器において洗浄水として気泡混合洗浄水を使用するだけではボウル内面の効果的な十分にできない。
【先行技術文献】
【特許文献】
【０００５】
【特許文献１】特開２００１−２７９７８７号公報
【特許文献２】実開平２−１１２７７４号公報
【発明の概要】
【発明が解決しようとする課題】
【０００６】
本発明は上記の従来の問題点に鑑みて発明したものであって、安定して気泡混合洗浄水を誘導して側方開口溝部の溝奥側に向けた強い指向性を持って噴出できるようにした水洗便器を提供することを課題とするものである。
【課題を解決するための手段】
【０００７】
前記の課題を解決するために、第１の発明は、ボウルの上端開口縁部に設けたリム部の下面部にボウル内に向けて内側方に開口する側方開口溝部を略周方向にわたって形成し、ボウルの後端部に気泡混合洗浄水を噴出する洗浄水噴出部を設け、該洗浄水噴出部から噴出した気泡混合洗浄水が側方開口溝部に沿って流れつつ側方開口溝部の側方開口からボウル内に流れてボウル内を洗浄する水洗便器であって、前記洗浄水噴出部から前記側方開口溝部までの間に気泡混合洗浄水を前記側方開口溝部の溝奥に沿わせるための誘導手段を構成する誘導水路を設け、この誘導水路内に前記洗浄水噴出部から噴出した気泡混合洗浄水を衝突させるための衝突部を設けて成ることを特徴とする。
【０００８】
第２の発明は、ボウルの上端開口縁部に設けたリム部の下面部にボウル内に向けて内側方に開口する側方開口溝部を略周方向にわたって形成し、ボウルの後端部に気泡混合洗浄水を噴出する洗浄水噴出部を設け、該洗浄水噴出部から噴出した気泡混合洗浄水が側方開口溝部に沿って流れつつ側方開口溝部の側方開口からボウル内に流れてボウル内を洗浄する水洗便器であって、前記洗浄水噴出部から前記側方開口溝部までの間に気泡混合洗浄水を前記側方開口溝部の溝奥に沿わせるための誘導手段を構成する誘導水路を設け、前記側方開口溝部の始端部の側方開口の下縁部に前端側程高さが低くなった補助誘導壁を立設し、前記側方開口溝部の溝奥と対向する面である補助誘導壁の内面の後端部を前記誘導水路の出口の一側内面に連設させると共に、補助誘導壁の外面をボウルに略周方向に設けた側方開口部の終端部に連設させて成ることを特徴とする。
【０００９】
第３の発明は、第２の発明において、前記補助誘導壁と対向する前記側方開口溝部の溝奥部分を平面視で前方程外側方にずれるように傾斜した傾斜溝奥部として成ることを特徴とする。
【発明の効果】
【００１０】
本発明は、誘導水路内において気泡混合洗浄水が衝突部に衝突することで誘導水路内に気泡混合洗浄水を満たして外部から空気が入ることを防ぎ、安定して気泡混合洗浄水を誘導水路で誘導して側方開口溝部の溝奥側に向けた強い指向性を持って噴出できる。
【００１１】
また本発明は、誘導水路の出口から噴出された直後の気泡混合洗浄水が横に広がるのを防止することにより、全体として途切れることなく連続して環状に流れる旋回流とすることができ、ボウル内を周方向においてほぼ均等に気泡混合洗浄水により効果的に洗浄することができる。
【図面の簡単な説明】
【００１２】
【図１】本発明の全体斜視図である。
【図２】同上の一部分解斜視図である。
【図３】同上の前パーツの前後方向の断面図である。
【図４】同上の前パーツの左右方向の断面図である。
【図５】同上の前パーツの分解斜視図である。
【図６】同上のボウルの斜視図である。
【図７】同上のボウル部を示し（ａ）は平面図であり、（ｂ）は側面図であり、（ｃ）は斜視図である。
【図８】同上のボウル部の要部拡大平面図である。
【図９】同上のリム部の下面図である。
【図１０】同上の図８のＡ−Ａ線のボウル部にリム部を一体化したボウルの断面図である。
【図１１】同上の図８のＢ−Ｂ線のボウル部にリム部を一体化したボウルの断面図である。
【図１２】同上の図８のＣ−Ｃ線のボウル部にリム部を一体化したボウルの断面図である。
【図１３】同上の図８のＤ−Ｄ線のボウル部にリム部を一体化したボウルの断面図である。
【図１４】同上の図８のＥ−Ｅ線のボウル部にリム部を一体化したボウルの断面図である。
【図１５】同上の気泡混合洗浄水とする機構を示す概略説明図である。
【発明を実施するための形態】
【００１３】
以下、本発明を添付図面に示す実施形態に基いて説明する。水洗便器５にはボウル１が設けてあり、ボウル１の上端開口縁部には全周にわたってボウル１内側に向けて突出するリム部２が設けてある。
【００１４】
ボウル１の上端開口縁部に設けたリム部２の下面側には側方開口溝部３を形成してあり、この側方開口溝部３は全長にわたってボウル１内に向けて側方が開口して側方開口７となっている。
【００１５】
添付図面に示す実施形態においては、ボウル１を備えた水洗便器５はその主体部分が合成樹脂製となっているが、陶器製であってもよい。
【００１６】
添付図面に示す実施形態では、図１、図２に示すように、水洗便器５は、ボウル１を備えた前パーツ１０と、後パーツ１１と、支持フレーム１２とで構成してあり、水洗便器５の主体を構成する前パーツ１０、後パーツ１１は共に合成樹脂製である。
【００１７】
前パーツ１０は水平断面略Ｃ字状をしたスカート部１３と、スカート部１３内の上部に嵌め込んで溶着一体化されたボウル部１４と、更にボウル部１４の上に嵌め込んでボウル部１４の上端縁部及びスカート部１３の上端縁部に溶着一体化されたリム部２とで構成してある。ここで、ボウル部１４とリム部２とで図６に示すようなボウル１が構成してある。
【００１８】
後パーツ１１は、上カバー１６、装置支持ケース１７、リアカバー１８、上サイドカバー１９、下サイドカバー２０により構成してあり、これらはいずれも合成樹脂製である。
【００１９】
支持フレーム１２は金属製であって、前パーツ１０を支持フレーム１２にねじ具により取付け、後パーツ１１の装置支持ケース１７には局部洗浄用の温水洗浄装置２１ａ、局部乾燥用の送風装置２１ｂ、ボウル１内の臭気を脱臭するための脱臭装置２１ｃ、洗浄水流路２１ｄ、洗浄水流路２１ｄ内を流れる洗浄水に気泡を混合して気泡混合洗浄水とする気泡混合部２１ｅ等の便器付属装置２１が取付けてあり、この装置支持ケース１７を支持フレーム１２にねじ具により取付けて支持してある。上カバー１６は装置支持ケース１７を覆うようにして取付けられるもので、上カバー１６には便座２２、便蓋２３が回動自在に取付けてある。リアカバー１８は、装置支持ケース１７や支持フレーム１２に取付けてあり、上サイドカバー１９はリアカバー１８に着脱自在に取付けてあり、下サイドカバー２０は上サイドカバー１９に着脱自在に係止して位置決めした状態で磁石により支持フレーム１２に対して着脱自在に取付けてある。
【００２０】
図１５には水洗便器５に洗浄水流路２１ｄ内を流れる洗浄水に気泡を混合して気泡混合洗浄水とする気泡混合部２１ｅを設ける概略構成図が示してある。図１５において、洗浄水流路２１ｄに空気を取り込むためのエゼクター部６０、水内に取り込んだ空気を無数の気泡となるように細分化して気泡混合洗浄水とする気泡細分化部６１を備え、更に、図１５の実施形態では液体洗剤を入れた洗剤タンク６２内の洗剤を循環ポンプ６３で循環させる循環路６４と、循環路６４から分岐した弁６６を備えた分岐路６５の先端部を洗浄水流路２１ｄのエゼクター部６０と気泡細分化部６１との間に連通させた構成とすることで、気泡混合部２１ｅが構成してある。
【００２１】
つまり、循環ポンプ６３を停止した状態（この場合弁６６は閉じている）で電磁弁６７を開にすることで洗浄水流路２１ｄに洗浄水である水を水道圧により流すと、エゼクター部６０で洗浄水流路２１ｄ内を流れる水中に空気が強制的に取り込まれ、更に、水内に取り込まれた空気は気泡細分化部６１で無数の気泡に細分化されて（例えば平均粒径が数ｍｍ程度の気泡に細分化されて）気泡混合洗浄水となって洗浄水流路２１ｄの端部からボウル１内に噴出され、ボウル１内面を気泡混入水中の気泡の衝突、気泡が破泡する際の高周波振動による衝撃力等によって洗浄効果を上げながら少ない水量で効果的な洗浄を行うようになっている。
【００２２】
また、電磁弁６７を開にすると共に循環ポンプ６３をオンにすることで（この場合弁６６は開となる）洗浄水流路２１ｄに水中に上記のようにして空気が取り込まれると共に、空気が取り込まれた水中に液体洗剤が供給されて液体洗剤と空気とが混合された状態の水が、気泡細分化部６１で無数の気泡に細分化される。この場合、界面活性剤である液体洗剤が混入してあるため、水に空気と液体洗剤とが混入された洗浄水の表面張力が低下し、これにより気泡細分化部６１でせん断力により無数の気泡に細分化する際、液体洗剤を混入しない場合よりも小さな径の気泡（例えば平均粒径が６０μｍ程度）に細分化でき、このような液体洗剤を混入した気泡混合洗浄液を洗浄水流路２１ｄの端部からボウル１内に噴出する。この場合は、洗浄液中に含まれる気泡が小さく且つ液体洗剤を含んでいるため、ボウル１内に溜め水する際、溜め水と接するボウル１の喫水線部分に界面活性剤を含むマイクロメータサイズの気泡を付着させることができ、ボウル１において喫水線付近の汚れを効果的に洗浄できる。しかも、界面活性剤を含むマイクロメータサイズの気泡は平均粒径が数ｍｍ程度の気泡に比べて破泡し難く長時間ボウル１内面に付着させることができるので、ボウル１の喫水線付近を清潔にできることになる。
【００２３】
このように気泡混合洗浄液として、実施形態においては、空気のみの気泡を混合した気泡混合洗浄液と、液体洗剤（界面活性剤）と空気とを含む気泡を混合した気泡混合洗浄液との２種類の噴出ができるようにしており、ボウル１を洗浄するに当って、ボウル１内にたまっている汚物を含む溜め水を流す際には空気のみの気泡を混合した気泡混合洗浄液を噴出して洗い流し、その後、ボウル１内に一定水位まで溜め水する際には液体洗剤（界面活性剤）と空気とを含む気泡を混合した気泡混合洗浄液を噴出して溜め水するようになっている。
【００２４】
もちろん、本発明において、洗い流しから溜め水に至る洗浄の全過程で、気泡混合洗浄液として空気のみの気泡を混合した気泡混合洗浄液を噴出するだけでもよく、あるいは、洗い流しから溜め水に至る洗浄の全過程で、液体洗剤（界面活性剤）と空気とを含む気泡を混合した気泡混合洗浄液を噴出するだけでもよい。
【００２５】
ボウル部１４の底部には排水筒部１４ａが形成してあり、該排水筒部１４ａにはトラップの一端部が接続される。本実施形態ではトラップはターントラップ方式のもので、フレキシブルなトラップ筒９０（図１５に示す）により構成してあり、モータ（図示せず）によりトラップ筒を回動して、トラップ筒９０が上向きＵ字状となったトラップ構造となる状態と、略逆Ｌ字状となってトラップ構造が解除される状態とを選択できるようになっており、通常はトラップ筒９０が上向きＵ字状となったトラップ構造となっていてボウル部１４内の下部、排水筒部１４ａ、トラップ筒９０内に水が溜まった状態となっていて、この状態で大便や小便を行い、大便や小便が終わると、後述のように洗浄水を流すと共に、トラップ筒９０を回動してトラップ構造を解除する状態として、汚物と共に汚水を排水するようになっている。上記フレキシブルなトラップ筒、モータ等はトラップケース３４内に収納してあり、該トラップケース３４は金属製の支持フレーム１２に取付けてある。
【００２６】
リム部２の後部の内周面には温水洗浄装置２１ａに設けた洗浄ノズル２４をボウル１内に出し入れするための洗浄ノズル出し入れ用開口部２５を設けると共に送風装置２１ｂのダクト先端部から噴出する温風又は冷風をボウル１内に吹き出すための送風用開口部２６が左右に並べて設けてあり、また、リム部２の後端部の下面には図９に示すように上記洗浄ノズル出し入れ用開口部２５、送風用開口部２６から左右方向にずれた位置に、脱臭装置２１ｃに連通するボウル１内の臭気を吸込むための脱臭用開口部２７を設けると共に、ボウル１内を明るく照らすためのＬＥＤのような発光部２８が臨む発光用開口部２９が設けてある。
【００２７】
ボウル１にはリム部２の下面とボウル部１４の上外周部上面とに囲まれた部分に略全周にわたって側方に開口した側方開口溝部３を形成してある。
【００２８】
ボウル１の後部の左右方向の一端部（添付図面に示す実施形態ではボウル部１４の後部の左右方向の一端部）には気泡混合洗浄水を供給する洗浄水流路の先端部が嵌め込まれて気泡混合洗浄水を噴出するための洗浄水噴出部４となっている。
【００２９】
また、ボウル１の後部の上記洗浄水噴出部４から上記側方開口溝部３の後端部の左右方向の一側端部（この側方開口溝部３の後端部の左右方向の一側端部が始端部３ａとなっている）の間には誘導手段４０を構成する誘導水路４１が形成してある。
【００３０】
そして、洗浄水噴出部４から噴出された気泡混合洗浄水を誘導水路４１により側方開口溝部３の後端部の左右方向の一端部（この部分が側方開口溝部３の始端部３ａとなっている）の溝奥側に向けて流れを誘導して側方開口溝部３の始端部３ａに供給し、このように側方開口溝部３の始端部３ａに供給された気泡混合洗浄水は側方開口溝部３の始端部３ａから側方開口溝部３内を周方向に流れる旋回流となる。このように気泡混合洗浄水が側方開口溝部３を旋廻流となって流れる際に、洗浄水の一部が側方開口溝部３の側方開口７の下端縁部部分から徐々にボウル１内に図７（ａ）の矢印のように旋回流となって流れ、この旋回流によりボウル１内が洗浄されることになる。
【００３１】
誘導水路４１は図７（ａ）、図７（ｃ）、図８に示すように平面視において略台形状をしていて流れ方向の先端側ほど次第に左右巾（横幅）が狭くなるようになっており、先端部が出口４１ａとなっている。この、誘導水路４１の内部の少なくとも後部は洗浄水噴出部４の断面（流れ方向と直交する断面）よりも大きい断面（流れ方向と直交する断面）となっている。また、誘導水路４１の左右両側壁４２、４３のうち、外側の側壁４２の先端部が側方開口溝部３の始端部３ａの溝奥面５０と面一に連続させてあり、誘導水路４１の左右両側壁４２、４３のうち内側の側壁４３が平面視で先端側ほどボウル１の外側方に近づくように傾斜させてある。
【００３２】
したがって、洗浄水噴出部４から前方に向けて噴出された気泡混合洗浄水は誘導水路４１内を通過する際に、内側の側壁４３に誘導されて側方開口溝部３の溝奥側に向けた強い指向性を持った流れとなって側方開口溝部３の始端部３ａ内に噴出されることになり、洗浄水噴出部４から噴出した直後に気泡混合洗浄水が広がろうとするのを上記側方開口溝部３の溝奥側に向けた強い指向性をもった流れとして誘導することで、側方開口溝部３の始端部３ａの側方開口７からボウル１内に必要以上に気泡混合洗浄水が流れ落ちないようにしている。
【００３３】
また、誘導水路４１は少なくとも出口４１ａ部分の縦幅を横幅よりも長くしてある。添付図面に示す実施形態においては図１０、図１１に示すように、誘導水路４１の前後方向の中央部よりも前方の領域において縦幅を横幅よりも長くしてある。これにより誘導水路４１の出口４１ａから噴出した気泡混合洗浄水は断面形状が横幅が狭く縦長となった状態で側方開口溝部３の溝奥側に向けた強い指向性を持って流れることになり、よりいっそう洗浄水噴出部４から噴出した直後に気泡混合洗浄水が広がって側方開口溝部３の始端部分でボウル１内に必要以上に気泡混合洗浄水が流れ落ちないことになる。
【００３４】
誘導水路４１の少なくとも出口４１ａ部分の上端部に横幅が出口４１ａ部分の他の部分の横幅よりも広いオーバーフロー部４５となっている。添付図面に示す実施形態においては、図１０、図１１、図１２に示すように誘導水路４１の誘導水路４１の前後方向全長にわたって上端部にオーバーフロー部４５が形成してある。気泡混合洗浄水は泡立ち状態が異なると気泡混合洗浄水（水＋気泡）の体積が異なり、過剰な気泡混合洗浄水の場合、上端部に設けた横幅が広くなった広いオーバーフロー部４５にオーバーフローさせることで、機器に負担をかけることなく側方開口溝部３の後端部に噴出することができる。
【００３５】
図８に示すように誘導水路４１内に洗浄水噴出部４から噴出した気泡混合洗浄水を衝突させるための突起よりなる衝突部４６が設けてあり、誘導水路４１内において気泡混合洗浄水が衝突部４６に衝突することで誘導水路４１内に気泡混合洗浄水を満たして外部から空気が入ることを防ぐようになっており、安定して気泡混合洗浄水を誘導水路４１で誘導して側方開口溝部３の溝奥側に向けた強い指向性を持って噴出できることになる。
【００３６】
図６、図８、図１３、図１４に示すように、側方開口溝部３の始端部３ａの側方開口７の下縁部には前端側程高さが低くなった補助誘導壁４７が立設してある。
【００３７】
この補助誘導壁４７の内面（側方開口溝部３の溝奥と対向する面）が後端部を誘導水路４１の出口４１ａの一側内面に面一となるように連設させてあり、また、補助誘導壁４７の外面（ボウル１内部に面する面）はボウル１に略周方向に設けた側方開口溝部３の周方向の終端である周端部の溝底面に面一に連続している。
【００３８】
上記のように補助誘導壁４７を設けることで、誘導水路４１の出口４１ａから噴出された直後の気泡混合洗浄水が横に広がるのを補助誘導壁４７により防止することができ、更に、洗浄水噴出部４から噴出された気泡混合洗浄水は誘導手段４０により側方開口溝部３の始端部３ａの溝奥側に向けて誘導され、側方開口溝部３の始端部３ａから側方開口溝部３内を周方向に旋回流となって流れながら側方開口の周方向の各部分から少しずつボウル１内に旋回流となって流れて、ボウル１内を周方向において満遍なく洗浄するのであるが、この時、側方開口溝部３を周方向に流れる旋回流が側方開口溝部３の終端部３ｂに至って少なくなった水量の旋回流の末端が上記補助誘導壁４７の外面に沿って流れ、補助誘導壁４７が次第に低くなっているので、その旋回流の末端が誘導水路４１の出口４１ａから噴出されて補助誘導壁４７の内側を流れる新たな旋回流の始端部に徐々に一体に合流し、全体として、途切れることなく連続して環状に流れる旋回流とすることができることとなる。
【００３９】
このように途切れることなく連続して環状に流れる旋回流を形成できるので、ボウル１内を周方向においてほぼ均等に気泡混合洗浄水により効果的に洗浄することができるのである。
【００４０】
補助誘導壁４７と対向する側方開口溝部３の溝奥面は図７（ａ）、（ｃ）、図８に示すように平面視で前方程外側方にずれるように傾斜した傾斜溝奥部４８となっており、誘導水路４１の出口４１ａから噴出された直後の気泡混合洗浄水が横に広がるのを補助誘導壁４７により防止しながら、同時に、補助誘導壁４７による気泡混合洗浄水が横に広がるのを防止しながら、傾斜溝奥部４８の存在により側方開口溝部３の溝奥側に向けた指向性が強められた流れとすることができることになる。
【符号の説明】
【００４１】
１  ボウル
２  リム部
３  側方開口溝部
４  洗浄水噴出部
５  水洗便器
７  側方開口
４０  誘導手段
４１  誘導水路
４２  外側の側壁
４３  内側の側壁
４５  オーバーフロー部
４６  衝突部
４７  補助誘導壁
４８  傾斜溝奥部
【図１】
2010138693.tif 000003
【図２】
2010138693.tif 000004
【図３】
2010138693.tif 000005
【図４】
2010138693.tif 000006
【図５】
2010138693.tif 000007
【図６】
2010138693.tif 000008
【図７】
2010138693.tif 000009
【図８】
2010138693.tif 000010
【図９】
2010138693.tif 000011
【図１０】
2010138693.tif 000012
【図１１】
2010138693.tif 000013
【図１２】
2010138693.tif 000014
【図１３】
2010138693.tif 000015
【図１４】
2010138693.tif 000016
【図１５】
2010138693.tif 000017